(57)【特許請求の範囲】
【請求項１】
遊技球を球発射装置から遊技領域へ発射する際に遊技者に回転操作される操作ハンドルの回転量によって発射力を調整する遊技機用発射ハンドルであって、
前記操作ハンドルを原点位置に保持するように付勢された状態で回転可能に軸支するハンドル本体と、
前記操作ハンドルに形成された測定面と、前記ハンドル本体に前記操作ハンドルの測定面と対向配置され、前記操作ハンドルの回転操作に伴い変化する当該測定面との距離を検出する光学式変位センサと、
遊技球の発射動作を規制する発射ストップレバーと、を具備し、
前記測定面は、前記操作ハンドルの回転方向に沿って帯状に形成されており、当該操作ハンドルの回転量が増加するに伴い、前記測定面と光学式変位センサとの距離が漸次近づく傾斜面であり、
前記発射ストップレバーが、前記操作ハンドルの測定面と光学式変位センサとの隙間へ進入することで遊技球の発射を規制することを特徴とする遊技機用発射ハンドル。
【請求項２】
前記発射ストップレバーは、前記操作ハンドルの測定面と光学式変位センサとの隙間に対し進退自在に設けられると共に前記隙間から退避する向きに常時付勢部材に付勢されており、前記操作ハンドルが原点位置にあるとき、当該操作ハンドルに形成された規制部が前記発射ストップレバーと当接して該発射ストップレバーを前記隙間に進入する向きに移動させる請求項１記載の遊技機用発射ハンドル。
【請求項３】
前記発射ストップレバーは、前記操作ハンドルを原点位置から回転操作すると前記規制部による規制が解除され、前記付勢部材の付勢力によって前記隙間より退避することで、遊技球の発射規制が解除される請求項１または２記載の遊技機用発射ハンドル。
【請求項４】
前記発射ストップレバーは、前記隙間に進退可能な遮光部材と遊技者が押圧可能な操作体とを備え、前記ハンドル本体に対して前記遮光部材が前記操作ハンドルの回転軸と位置を違えて回転可能に軸支されており、前記操作体は前記遮光部材に対して揺動可能に軸支されている請求項１乃至３のいずれか１項記載の遊技機用発射ハンドル。
【請求項５】
請求項１乃至請求項４のいずれか１項記載の遊技機用発射ハンドルを備えたことを特徴とする遊技機。
【発明の詳細な説明】
【技術分野】
【０００１】
本発明は、例えばパチンコ機に用いられる遊技機用発射ハンドルを備えた遊技機に関する。
【背景技術】
【０００２】
パチンコ機の前面枠には球受け皿が設けられており、球受け皿は遊技球を一時的に貯留し、該貯留した遊技球を球発射装置の発射位置へ誘導する。また、前面枠には手前側に突出する遊技機用発射ハンドルが設けられている。この発射ハンドルの操作ハンドルを遊技者が回転操作することにより、球発射装置を作動させ、球受け皿から発射位置に供給された遊技球を駆動源（モータ、ソレノイド等）により駆動する打球槌により打撃して発射レールを通じて遊技領域に向けて発射する。
【０００３】
発射ハンドルには、回転式可変抵抗器若しくはポテンショメータ、タッチセンサ、ストップスイッチなどの電気部品が設けられている。ポテンショメータは、操作ハンドルの回転量を電圧変化に変換して検出し、タッチセンサは、遊技者が発射ハンドルに触れているか否かを検出し、ストップスイッチは、操作ハンドルが原点位置にあるとき及び遊技者が遊技中にストップレバーを操作することによりディップスイッチをＯＦＦして球発射動作を遮断するために設けられている。ストップレバーは、操作ハンドルが原点位置にあるときには当該操作ハンドルに設けられた突出部に当接して強制的にディップスイッチがＯＦＦになるように機械的連繋構造により発射動作が制御されている。
【０００４】
操作ハンドルやその回転軸などの導電部材を通じて各種センサ信号を発射制御基板にある制御回路に送信されるため静電気による誤動作や、ディップスイッチや可変抵抗器の摺動による機械的摩耗などの経時的劣化を防ぐため、いわゆる非接触式センサを用いた遊技機も提案されている（特許文献１参照）。
【先行技術文献】
【特許文献】
【０００５】
【特許文献１】実公平０６−４１５８３号公報
【発明の開示】
【発明が解決しようとする課題】
【０００６】
特許文献１では、操作ハンドルの回転軸に遮光円板を偏心させて一体に組付け、該遮光円板の軸方向両側に発光部（発光ダイオード）と受光部（フォトトランジスタ）を設けて操作ハンドルの回転位置に応じて発光部から受光部に到達する光量変化を電気的変化量に変換して発射力を調整するようになっている。
【０００７】
しかしながら、上記非接触式センサを用いることにより、機械的スイッチ構造が省略された一方で遮光円板は回転軸に一体に組み付けられているため、遊技者が遊技状態で遊技球の発射動作を停止させる場合には、ストップレバーに連動して発光部と受光部の光軸を遮光する等の別途手段が必要になる。
【０００８】
また、遊技球の発射規制を制御のみで行うとすれば、ハンドル部品の個体差によりばらつきが生じやすくなるなどの不具合も生ずる。
【０００９】
本発明の目的は、上記従来技術の課題を解決し、部品点数が少なくしかも操作ハンドルの原点位置及び操作状態で発射動作を制御できる低コストで組立て性の良い遊技機用発射ハンドル及びそれを備えた遊技機を提供することにある。
【課題を解決するための手段】
【００１０】
本発明は上記目的を達成するため、次の構成を備えることを特徴とする。
遊技球を球発射装置から遊技領域へ発射する際に遊技者に回転操作される操作ハンドルの回転量によって発射力を調整する遊技機用発射ハンドルであって、前記操作ハンドルを原点位置に保持するように付勢された状態で回転可能に軸支するハンドル本体と、前記操作ハンドルに形成された測定面と、前記ハンドル本体に操作ハンドルの測定面と対向配置され、前記操作ハンドルの回転操作に伴い変化する当該測定面との距離を検出する光学式変位センサと、遊技球の発射動作を規制する発射ストップレバーと、を具備し、前記測定面は、前記操作ハンドルの回転方向に沿って帯状に形成されており、当該操作ハンドルの回転量が増加するに伴い、前記測定面と光学式変位センサとの距離が漸次近づく傾斜面であり、前記発射ストップレバーが、前記操作ハンドルの測定面と光学式変位センサとの隙間へ進入することで遊技球の発射を規制することを特徴とする。
【００１２】
また、前記発射ストップレバーは、前記操作ハンドルの測定面と光学式変位センサとの隙間に対し進退自在に設けられると共に前記隙間から退避する向きに常時付勢部材に付勢されており、前記操作ハンドルが原点位置にあるとき、当該操作ハンドルに形成された規制部が前記ストップレバーと当接して前記発射ストップレバーを前記隙間に進入する向きに移動させることを特徴とする。
【００１３】
また、前記発射ストップレバーは、前記操作ハンドルを原点位置から回転操作すると前記規制部による規制が解除され、前記付勢部材の付勢力によって前記隙間より退避することで、遊技球の発射規制が解除されることを特徴とする。
【００１４】
また、前記発射ストップレバーは、前記隙間に進退可能な遮光部材と遊技者が押圧可能な操作体を備え、前記ハンドル本体に対して前記遮光部材が前記操作ハンドルの回動軸と位置を違えて回転可能に軸支され、前記操作体は前記遮光部材に対して揺動可能に軸支されていることを特徴とする。
【００１５】
また、遊技機においては、上述した遊技機用発射ハンドルを備えたことを特徴とする。
【発明の効果】
【００１６】
上述した遊技機用発射ハンドルは、操作ハンドルの回転操作に伴って測定面との距離を検出する光学式変位センサによって遊技球の発射を規制する発射ストップレバーの動作検出を兼用することで、部品点数が減りしかも発射ハンドルをコンパクトに設置することができる。また、発射ストップレバーを操作ハンドルの測定面と光学式変位センサとの隙間へ進入させることで遊技球の発射を確実に規制することができる。
【００１７】
また、操作ハンドルに形成された測定面は、当該操作ハンドルの回転方向に沿って帯状に形成されており、回転量が増加するに伴い、光学式変位センサと漸次近づく傾斜面であるので、操作ハンドルの回転量に伴う測定面の変位が光学式変位センサで確実に検出でき、遊技者の操作ハンドルの操作に素早く対応できるとともに遊技者の意図する位置に遊技球を発射することができる。
【００１８】
また、操作ハンドルが原点位置にあるとき、当該操作ハンドルに形成された規制部が発射ストップレバーと当接して発射ストップレバーを隙間に進入する向きに移動させるので、操作ハンドルが原点位置において遮光部材を遮光位置へ移動させて遊技球の発射動作を確実に規制することができる。
【００１９】
また、発射ストップレバーは、操作ハンドルを原点位置から回転操作すると規制部による規制が解除され、付勢部材の付勢力によって隙間より退避することで遊技球の発射規制が解除されるので、遊技者の意図する位置に遊技球を発射することができ、遊技者が任意の位置で遊技状態に応じて発射ストップレバーを操作して遊技球の発射動作を規制することができる。
【００２０】
また、操作ハンドルを回転操作すると操作体の位置が操作ハンドルの操作位置と相対的に離れ、操作体が遮光部材に固定されていると遊技者の押圧方向によっては当該遮光部材の回転軸周りの押圧力が伝わり難くなる場合がある。しかしながら、操作体が揺動することで遮光部材の回転軸周りの押圧力が伝わり易くなり、遊技者が操作体をどの方向に押圧しても遮光部材を遮光位置へ回転させて発射動作を規制することができ、発射ストップレバーの操作性を向上することができる。
【００２１】
また、遊技機に上述した遊技機用発射ハンドルを備えたことにより、ハンドル操作性を向上させることができる。
【図面の簡単な説明】
【００２２】
【図１】パチンコ機の斜視図である。
【図２】発射ハンドルのキャップを外したハンドル本体の正面図及び矢印Ａ−Ａ断面図である。
【図３】操作ハンドルが原点位置にある状態と操作状態の位置へ回転した状態のキャップ及び操作ハンドルを省略したハンドル本体の正面図である。
【図４】操作ハンドルの回転位置及び発射ストップレバーの押動に応じた遮光部材及び光学式変位センサの検出状態を示す断面説明図である。
【図５】発射ストップレバーの平面図、矢印Ｂ−Ｂ断面図、後面側の分解図である。
【図６】キャップ、操作ハンドル、ハンドル本体の後方側分解斜視図である。
【図７】ハンドル本体の回動機構の後方分解斜視図である。
【図８】ハンドル本体を軸支するハンドル基端部の後方分解斜視図である。
【図９】ハンドル本体をハンドル基端部に対して固定位置に固定した状態の斜視図及びハンドル本体をハンドル基端部に対して可動位置に傾けた状態の斜視図である。
【図１０】ハンドル本体をハンドル基端部に対して固定位置に固定した状態の発射ハンドルの平面図である。
【図１１】図１０の矢印Ｃ−Ｃ方向断面を示す斜視図及び正面図である。
【図１２】ハンドル本体をハンドル基端部に対して可動位置に傾け、かつ操作部を操作した状態の発射ハンドルの平面図である。
【図１３】図１２の矢印Ｄ−Ｄ方向断面を示す斜視図及び正面図である。
【発明を実施するための形態】
【００２３】
以下、本発明の実施形態について図面を参照しながら具体的に説明する。図１を参照して本実施形態に係る遊技機の概略構成について説明する。本実施例としては、遊技機の一例としてパチンコ機について説明するものとする。
【００２４】
先ずパチンコ機１の概略構成について説明する。図１において、パチンコ機１の外形をなす外枠２に対してヒンジ部４により内枠３が開閉可能に取り付けられ、該内枠３の前面を覆う前面枠５が図示しないヒンジ部を中心に開閉可能に取り付けられている。内枠３には遊技領域が形成される遊技盤が設けられると共に該遊技盤の下方には遊技領域へ向かって遊技球を発射する球発射装置が組み付けられている。前面枠５の上部には、スピーカ６や図示しない装飾装置が設けられている。また、遊技領域を覆う窓部５ａには透明部材（ガラス枠）５ｂを通じて視認可能に覆われている。
【００２５】
また、図１において、前面枠５の下方には貸球や賞球等の遊技球を一時的に貯留し、該遊技球を球発射装置へ誘導する上球受け皿７及び下球受け皿８が一体に設けられている。上球受け皿７の右側には、球発射装置によって遊技領域へ発射される遊技球の発射力を調節するための発射ハンドル９が設けられている。発射ハンドル９は、前面枠５に設けられるハンドル基端部９Ａ、ハンドル基端部９Ａに回動可能に設けられるハンドル本体９Ｂ、ハンドル本体９Ｂに回転可能に軸支された操作ハンドル９Ｃ、ハンドル本体９Ｂの前面を覆うキャップ９Ｄが設けられている。上球受け皿７の上端部には遊技状態に応じて遊技者が操作する操作スイッチ１０、上球受け皿７の遊技球を下球受け皿８に排出する球抜きレバー１１、下球受け皿８の遊技球をドル箱等に排出する球抜きレバー１２などが設けられている。内枠３の後面側上部には貯留タンク１３が設けられている。この貯留タンク１３にはパチンコ機１が配置されたホールの遊技島から遊技球が供給されるようになっている。
【００２６】
次に遊技機用発射ハンドル９の概略構成について図９（ａ）（ｂ）を参照して説明する。図９（ａ）（ｂ）において、発射ハンドル９は、前面枠５に設けられるハンドル基端部９Ａ、ハンドル基端部９Ａに回動可能に設けられるハンドル本体９Ｂ、ハンドル本体９Ｂに回転可能に軸支された操作ハンドル９Ｃ、ハンドル本体９Ｂの前面を覆うキャップ９Ｄが一体に組み付けられてなる。ハンドル基端部９Ａは、前面枠５の前方に突出して固定配置され（図１参照）、ハンドル基端部９Ａに対してその突出方向に配置された回動軸２７（第一回動軸；図３（ａ）（ｂ）参照）の周りに回転操作して発射力を調整するハンドル本体９Ｂが、回動軸２７と交差する操作軸１４（第二回動軸；図１２参照）の周りに角度変更可能に組み付けられている（図９（ａ）（ｂ）参照）。ハンドル本体９Ｂに軸支された操作ハンドル９Ｃの回転量によって発射力を調整するようになっている。
【００２７】
次に、ハンドル本体９Ｂの構成について図２乃至図６を参照して説明する。
図２（ａ）において、ハンドル本体９Ｂには、操作ハンドル９Ｃが回動軸２７（第一回動軸）を中心に回転可能に軸支されている。操作ハンドル９Ｃは、ハンドル本体９Ｂに設けられたフック９ｊと操作ハンドル９Ｃに設けられたボス部９ｋとの間に係止された第一付勢ばね２８（捩りコイルばね）により常時原点位置（図２（ａ）の位置）に保持するように付勢されている。操作ハンドル９Ｃの外周には、遊技者が指をかけて操作する指掛け部９ｌが複数箇所に突設されている。操作ハンドル９Ｃには円弧状の長孔９ｍ１，９ｍ２が各々形成されている。この長孔９ｍ１には、ハンドル本体９Ｂに突設されたストッパー９ｎ，９ｏが挿通して組み付けられ、長孔９ｍ２には、ボス部９ｋが挿通して組み付けられている。ストッパー９ｎは長孔９ｍ１の一端に衝止しており、ボス部９ｋは長孔９ｍ２の一端に衝止しており、各々操作ハンドル９Ｃの原点位置を規定している。また、ストッパー９ｏは、ボス部９ｋとともに操作ハンドル９Ｃが時計回り方向に回転操作された際に夫々長孔９ｍ１，９ｍ２の他端に衝止して回り止めし、最大操作位置を規定している。
【００２８】
図２（ｂ）において、操作ハンドル９Ｃの後面側中央部には、軸方向に板厚が漸次変化するように形成された測定面９ｐが形成されている。この測定面９ｐに対向してハンドル本体９Ｂに光学式変位センサ２９（例えばレーザー変位計）が設けられている。光学式変センサ２９は、操作ハンドル９Ｃの対向する測定面９ｐとの軸方向の距離変化から操作ハンドル９Ｃの回転量を検出する。図３（ｂ）に示すように、光学式変位センサ２９は発光部２９ａと受光部２９ｂを有しており、発光部２９ａより照射されて測定面９ｐで反射した反射光を受光部２９ｂで受光して測定面９ｐとの距離を計測する。
【００２９】
図３（ｂ）において、発射ストップレバー３０は、遊技者が操作できるように操作体３０ｄがハンドル本体９Ｂより外方に突出するように設けられており、遊技者に操作体３０ｄを押動操作され発射ストップレバー３０が可動になると遊技球の発射動作を規制する。
この発射ストップレバー３０には、操作ハンドル９Ｃの測定面９ｐと光学式変位センサ２９との軸方向の隙間（光軸）へ進入して遮光する遮光部材３１が一体に形成されている。発射ストップレバー３０は、回動軸２７と位置を違えて軸支され、実施例では回動軸２７より下方に設けられたレバー回転軸３２を中心に回転可能に組み付けられている。測定面９ｐは、操作ハンドル９Ｃの回転方向に沿って円弧状に湾曲した帯状に形成されており（図２（ａ）参照）、当該操作ハンドル９Ｃの回転量が増加するに伴い、測定面９ｐと光学式変位センサ２９との軸方向に沿った距離が漸次近づく傾斜面が形成されている（図２（ｂ）参照）。
【００３０】
図５（ｂ）において、発射ストップレバー３０は、レバー本体３０ａのレバー装着部３０ｂに設けられた係止爪３０ｃを操作体３０ｄの軸孔３０ｅに挿通させて係止することで、操作体３０ｄが軸方向に抜け止めされて装着される。図５（ａ）に示すように操作体３０ｄは、当該操作体３０ｄの前面に２箇所に設けられた突起３０ｆが係止爪３０ｃの先端係止部３０ｇと突き当たる範囲で揺動可能に軸支されている。また、遮光部材３１のレバー回転軸３２が嵌合する軸孔３１ｂ近傍には、押圧部材３１ａが一体に形成されている。
【００３１】
また、図３（ａ）において、ハンドル本体９Ｂのボス部９ｑには、第二の付勢ばね３３（付勢部材；捩りコイルばね）が嵌め込まれている。第二付勢ばね３３の一端３３ａは発射ストップレバー３０に当接し、他端３３ｂは操作ハンドル９Ｃの回動軸２７に当接している。よって、遮光部材３１（発射ストップレバー３０）は第二付勢ばね３３によってレバー回転軸３２を中心に反時計回り方向に付勢されており、操作体３０ｄ（発射ストップレバー３０）がハンドル本体９Ｂより外方に突出するように付勢されている。
【００３２】
また、図３（ａ）（ｂ）において省略された操作ハンドル９Ｃの内周面には規制部９ｒが形成されている。この規制部９ｒは操作ハンドル９Ｃの径方向内側に隆起した規制面を有している。図３（ａ）に示すように、操作ハンドル９Ｃが原点位置にあるとき、規制部９ｒは押圧部材３１ａに当接して発射ストップレバー３０を第二付勢ばね３３の付勢力に抗してレバー回転軸３２を中心として時計回り方向に若干押し戻すように回転させて、遮光部材３１が、光学的変位センサ２９と測定面９ｐとの隙間に入り込んで光軸を遮光した状態で停止している。
【００３３】
また、図３（ｂ）に示すように、操作ハンドル９Ｃが回転操作されると、規制部９ｒも移動して押圧部材３１ａとの当接が外れるため、発射ストップレバー３０は第二付勢ばね３３の付勢力によってレバー回転軸３２を中心として反時計回り方向に回転し、操作体３０ｄがハンドル本体９Ｂより外方に突出した状態で保持されている。この結果遮光部材３１は、光学的変位センサ２９と測定面９ｐとの隙間から退避して、測定面９ｐの軸方向距離を計測可能な状態となる。
【００３４】
また、図３（ａ）において、ハンドル本体９Ｂには、タッチセンサ３４が設けられている。タッチセンサ３４には導電部材３４ａが回動軸２７に常時当接した状態にねじ止め固定されている。操作ハンドル９Ｃ及び回動軸２７は導電性樹脂材により形成されているため、遊技者が操作ハンドル９Ｃに触れていると抵抗値の変化から操作ハンドル９Ｃを操作中であることを検出することができる。
【００３５】
次に、図４（ａ）（ｂ）（ｃ）において、操作ハンドル９Ｃの回転位置及び発射ストップレバー３０の押動に応じた遮光部材３１及び光学式変位センサ２９の検出状態を示す。
図４（ａ）は、操作ハンドル９Ｃが原点位置にある状態を示す。操作ハンドル９Ｃが第一付勢ばね２８の付勢により原点復帰することにより、規制部９ｒが操作部材３１ａを押圧して発射ストップレバー３０が第二付勢ばね３３の付勢に抗して可動となり、遮光部材３１は、測定面９ｐと光学式変位センサ２９との間に形成される隙間に入り込んで光軸を遮光した状態にある（図３（ａ）参照）。また、遊技者は操作ハンドル９Ｃに触れていないのでタッチセンサ３４もＯＦＦであり、球発射装置から遊技球が発射されることはない。
【００３６】
図４（ｂ）は、操作ハンドル９Ｃが回転操作された状態を示す。操作ハンドル９Ｃを第一付勢ばね２８の付勢に抗して回動することにより、規制部９ｒが移動して操作部材３１ａとの当接が解除され、第二付勢ばね３３の付勢により発射ストップレバー３０が可動となり、遮光部材３１は測定面９ｐと光学式変位センサ２９との隙間から退避して光学式変位センサ２９は測定面９ｐとの距離を計測可能な状態にある（図３（ｂ）参照）。また、遊技者は操作ハンドル９Ｃに触れているのでタッチセンサ３４もＯＮであり、球発射装置から操作ハンドル９Ｃの回転量に応じた発射力で遊技球が発射される。
【００３７】
図４（ｃ）は、操作ハンドル９Ｃが回転操作された状態で発射ストップレバー３０が押された状態を示す。遊技者が操作体３０ｄを押動操作して発射ストップレバー３０を第二付勢ばね３３の付勢に抗して移動させると、遮光部材３１は測定面９ｐと光学式変位センサ２９との間に入り込んで光軸を遮光するため光学式変位センサ２９は測定面９ｐとの距離を計測不能（ＯＦＦ）になる。このため、遊技者は操作ハンドル９Ｃに触れていても（タッチセンサ３４はＯＮ状態）、球発射装置から遊技球が発射されることはない。
【００３８】
次に、図６において、ハンドル本体９Ｂ、操作ハンドル９Ｃ及びキャップ９Ｄの組み立て構成の一例について説明する。ハンドル本体９Ｂの前面側に光学式変位センサ２９を固定ねじ３５で組み付ける。また、軸受３７に回動軸２７の後方側端部を嵌め込んだままハンドル本体９Ｂに組み付ける。また、導電部材３４ａとタッチセンサ３４を固定ねじ３６で組み付け、導電部材３４ａを回動軸２７に接触させて組みつける。また、遮光部材３１に発射ストップレバー３０を一体に組み付けられた当該遮光部材３１をレバー回転軸３２（図３（ａ）参照）を中心にハンドル本体９Ｂに軸支する。そして、ボス部９ｑ（図３（ａ）参照）に、第二の付勢ばね３３（捩りコイルばね）を嵌め込み、一端３３ａは遮光部材３１に当接し、他端３３ｂは操作ハンドル９Ｃの回動軸２７に当接して組み付ける。
【００３９】
次に操作ハンドル９Ｃを軸孔９ｖに回動軸２７を挿通させ、当該回動軸２７を中心に回転可能にハンドル本体９Ｂに嵌め込む。このとき、操作ハンドル９Ｃに形成された円弧状の長孔９ｍ１には、ハンドル本体９Ｂに突設されたストッパー９ｎ，９ｏが挿通して組み付けられ、円弧状の長孔９ｍ２には、ボス部９ｋが挿通して組み付けられる（図３（ａ）参照）。
【００４０】
操作ハンドル９Ｃの前面側には、ハンドル本体９Ｂに設けられたフック９ｊと操作ハンドル９Ｃに設けられたボス部９ｋとの間に係止された第一付勢ばね２８（捩りコイルばね）を組み付ける。これにより操作ハンドル９Ｃは常時原点位置（図２（ａ）の位置）に保持するように付勢されたまま回転可能に軸支される。
【００４１】
そして、キャップ９Ｄの後面中央部に設けられたボス部９ｓに軸受３８を嵌め込んで、当該軸受３８に回動軸２７の前方側端部を嵌め込んでキャップ９Ｄをハンドル本体９Ｂに嵌め合わせる。最後に、ハンドル本体９Ｂの後方から図示しないねじ孔を通じてキャップ９Ｄの後面に複数箇所に設けられたボス部９ｔのねじ孔９ｕに固定ねじ３９を嵌め込んで、操作ハンドル９Ｃがキャップ９Ｄ，ハンドル本体９Ｂの間に回動自在に組み付けられる。
【００４２】
上述したように、発射ストップレバー３０に操作ハンドル９Ｃの測定面９ｐと光学式変位センサ２９との軸方向の隙間へ進入して遮光する遮光部材３１が一体に形成されているので、発光部と受光部の光軸を遮光する等の別途手段を設ける必要はなく、ハンドル本体９Ｂに組付けられる部品点数が減るので低コストで組立作業が容易になる。さらに、ハンドル本体９Ｂ内のスペースを確保して例えば後述するハンドル本体９Ｂのハンドル基端部９Ａに対する回動機構２６などをコンパクトに組み付けることができる。
【００４３】
操作ハンドル９Ｃが原点位置にあるとき、当該操作ハンドル９Ｃに形成された規制部９ｒが押圧部材３１ａを押圧して発射ストップレバー３０がハンドル本体９Ｂの内方へ後退する向きに回転させて遮光部材３１を遮光位置へ回転させるので、操作ハンドル９Ｃが原点位置において遮光部材３１を遮光位置へ回転させて遊技球の発射動作を確実に規制することができる。
【００４４】
また、操作ハンドル９Ｃを原点位置から回転操作すると規制部９ｒによる規制が解除され、第二付勢ばね３３の付勢力によって遮光部材３１を隙間より退避する向きに移動させることで、遊技球の発射規制が解除されるので、遊技者の意図する位置に遊技球を発射することができ、遊技者が操作ハンドル９Ｃを回動して任意の位置で遊技状態に応じて発射ストップレバー３０を押動し遮光部材３１を遮光位置へ回転させることで遊技球の発射動作を規制することができる。
【００４５】
また、発射ストップレバー３０の操作体３０ｄが揺動することで遮光部材３１のレバー回転軸３２周りの押圧力が伝わり易くなり、遊技者がどの方向に押圧しても遮光部材３１を遮光位置へ回転させて発射動作を規制することができる。よって、発射ストップレバー３０の操作性を向上することができる。
【００４６】
なお、上述した実施例において、発射ストップレバー３０を回動自在に設けるようにしたが、スライド自在に設けるようにしてもよく、操作ハンドル９Ｃの原点位置で斜光部材３１が操作ハンドル９Ｃの測定面９ｐと光学式変位センサ２９との軸方向の隙間へ進入し、操作ハンドル９Ｃを原点位置から回動操作することで、斜光部材３１が操作ハンドル９Ｃの測定面９ｐと光学式変位センサ２９との軸方向の隙間から退避するようにスライド移動させればよい。
【００４７】
次に、ハンドル本体９Ｂの後面側に設けられるハンドル基端部９Ａに対する回動機構１６の構成について図７乃至図１３を参照して説明する。
図１０はハンドル本体９Ｂが通常位置にある発射ハンドル９の平面図である。図１１（ａ）（ｂ）はその矢印Ｃ−Ｃ方向断面を示す斜視図及び正面図である。
【００４８】
図１０及び図１１に示すように、ハンドル基端部９Ａに操作軸１４（第二回動軸）を中心とするハンドル本体９Ｂの回動を許容する操作部１５が操作軸線上に設けられ、当該操作部１５を軸方向に移動操作している間だけハンドル本体９Ｂがハンドル基端部９Ａに対して操作軸１４を中心とする回動が許容される回動機構１６が設けられている。操作軸１４は操作ハンドル１４Ｃの回動軸２７（第一回動軸）に対して水平方向に直交配置された水平直交軸であり、ハンドル本体９Ｂはハンドル基端部９Ａに対して上下方向に回動可能に組み付けられている。以下、上記回動機構１６の構成について詳述する。
【００４９】
図１１（ａ）（ｂ）において、ハンドル本体９ｂの本体側壁９ｅ，９ｆ間には一方が開口した有底筒状のケース体１７が収納されており、ケース体１７の底部側はハンドル基端部９ａ側（本体側壁９ｅ側）に固定ねじ１８によって固定されている。ケース体１７内には押圧ばね１９を介して第二係合部２０ａが操作軸１４に嵌め込まれた第二軸受２１を介して嵌合している。第二軸受２１は、Ｅリング２３により操作軸１４の軸方向に抜け止めされて組み付けられている。また、ケース体１７の開口側には操作軸１４に嵌め込まれた第一軸受２２を介して第一係合部２０ｂが嵌合している。第一係合部２０ｂは、後述するように本体側壁９ｆ側にねじ止め固定されている。第二係合部２０ａは押圧ばね１９によって軸方向に付勢されて第一係合部２０ｂと常時係合するように組み付けられている。
【００５０】
本実施例では、図１１（ｂ）に示すように、第一係合部２０ｂと第二係合部２０ａとは対向面に形成されたラチェット歯どうしが係合しており、ハンドル本体９Ｂは操作部１５の操作の有無に関わらず上方向への回動が許容されている。操作軸１４は、第二軸受２１，第一軸受２２を挿通して一端をハンドル基端部９Ａの基端部側壁９ａに設けられたボス部９ｂのボス孔９ｃに挿抜可能に設けられている。また、操作軸１４の他端は、本体側壁９ｆより外側に延設されており、基端部側壁９ｄに抜け止めされて嵌め込まれた筒状の操作部１５に嵌め込まれている。操作部１５は、押圧ばね１９により第二係合部２０ａが第一係合部２０ｂと噛み合うように軸方向に付勢されている付勢力によって、基端部側壁９ｄの内壁面に爪状の抜け止め部１５ａが係止するように外側に向かって常時突出した状態で保持されている。
【００５１】
図１２に示すように、操作軸１４に一体に組み付けられた操作部１５を基端部側壁９ｄから基端部側壁９ａに向けて軸方向（図１３矢印方向）に押動することで、図１３（ａ）（ｂ）に示すＥリング２３により第二軸受２１を、該第二軸受２１により第二係合部２０ａを軸方向に移動させて第一係合部２０ｂとの係合状態が解除される。この状態で、ハンドル本体９Ｂはハンドル基端部９Ａに対して上下方向に回動させることが可能になる。尚、軸方向に押し込まれた操作軸１４は、押圧ばね１９を圧縮して一端側がボス部９ｂのボス孔９ｃに嵌入する長さが長くなるだけである。
【００５２】
操作部１５の押動を止めると、図１０及び図１１に示すように、押圧ばね１９の弾性力により第二軸受２１を通じて第二係合部２０ａを軸方向にスライドさせて第一係合部２０ｂと噛み合うことで位置決めされる。尚、第二係合部２０ａと第一係合部２０ｂとは歯数が同数あるラチェット歯どうしの噛み合いで位置決めされるが、例えば、第二係合部２０ａより第一係合部２０ｂの歯数が多い場合には、ハンドル本体９Ｂの回動位置を段階的に調整してハンドル基端部９Ａに対する傾きを多段に変更できるようにしても良い。また、ラチェット歯どうしの噛み合いに限らず通常のインボリュート歯や櫛歯などの歯面どうしの噛み合いであっても良い。
【００５３】
上述した回動機構１６を組み付け構成の一例について図７及び図８を参照して説明する。
先ず図７において、ケース体１７内に押圧ばね１９、第二係止部２０ａを嵌め込み、第二係止部２０ａの中心孔に第二軸受２１を嵌め込む。第二係止部２０ａは外周面に設けられた突条２０ｃがケース体１７の内壁に設けられたガイド溝１７ａに沿って嵌め込まれる。また、第二軸受２１が嵌め込まれた第二係合部２０ａの歯面に第一係合部２０ｂの歯面を対向させてケース体１７に嵌め込んだ状態で、これらをハンドル本体９Ｂの後面側に設けられた本体側壁９ｅ，９ｆ間に設けられた装着部２４に挿入する。そして、本体側壁９ｆに設けられたねじ孔９ｗと第一係合部２０ｂのねじ孔２０ｄを位置合わせされた状態で止めねじ２５を嵌め込むことにより、第一係合部２０ｂを本体側壁９ｆに固定する。
【００５４】
次いで、図８において、操作軸１４にＥリング２３、第一軸受２２、操作部１５が各々一体に組み付けられた当該操作軸１４を、本体側壁９ｆの壁孔９ｇ（貫通孔）より挿入する。図１１（ｂ）に示すように、操作軸１４の先端は、第二軸受２１を挿通し、第一軸受２２は第一係合部２０ｂの軸孔に嵌め込まれる。
【００５５】
そして、本体側壁９ｅ，９ｆの両側から２分割されたハンドル基端部９Ａの基端部側壁９ａ，９ｄで覆うように組み付ける。このとき、ケース体１７は、底部側がハンドル基端部９ａ側のボス部９ｈに固定ねじ１８によって固定される。また、操作軸１４の先端部は基端部側壁９ａのボス部９ｂのボス孔９ｃに嵌め込まれる（図１１（ｂ）参照）。また、操作部１５は、基端部側壁９ｄの壁孔９ｉ（貫通孔）より外側に突出した状態で保持される。この状態で、止めねじ２６によって２分割された一方のハンドル基端部９Ａのねじ孔を挿通して対向する他方のハンドル基端部９Ａのボス部９ｘのねじ孔９ｙに嵌め込まれて、ハンドル本体９Ｂの後端部がハンドル基端部Ａと回動可能に連結される。
【００５６】
以上のように、ハンドル基端部９Ａに操作軸１４を中心とするハンドル本体９Ｂの回動を許容する操作部１５が操作軸線上に設けられており、ハンドル本体９Ｂの回動位置にかかわらず操作ハンドル９Ｃから操作軸１４までの距離が変わらないので操作ハンドル９Ｃを回転操作したままの片手で操作部１５を操作することができる。また、操作部１５を軸方向に移動操作している間だけハンドル本体９Ｂがハンドル基端部９Ａに対して操作軸１４を中心とする回動が許容され、操作部１５の操作を止めるとその位置でハンドル本体９Ｂを位置決めして使用することができる。よって、発射ハンドル９の操作性が向上する。
【００５７】
また、操作部１５の非操作状態では第二係合部２０ａが操作軸１４の軸線方向に付勢されて第一係合部２０ｂと係合してハンドル本体９Ｂのハンドル基端部９Ａに対する操作軸周りの回動が規制される一方、操作部１５の移動操作によって第二係合部２０ａが操作軸１４の軸線方向に移動し第一係合部２０ｂとの係合が解除されることにより、ハンドル本体９Ｂのハンドル基端部９Ａに対する操作軸周りの回動が許容され、当該ハンドル基端部９Ａに対する角度変更が可能になる。よって、操作軸１４の軸方向の移動操作のみで回動と回動停止の動作切り替えが行なえるので、回動機構１６をコンパクトに設計してハンドル基端部９Ａ及びハンドル本体９Ｂを小型化することができる。
【００５８】
また、ハンドル本体９Ｂはハンドル基端部９Ａに対して上下方向に回動可能に組み付けられ、第一係合部２０ｂと第二係合部２０ａとは対向面に形成されたラチェット歯どうしが係合しており、ハンドル本体９Ｂは操作部１５の操作の有無に関わらず上方向への回動が許容されていると、ハンドル本体９Ｂの下方向への回動は操作部１５の操作を必要とするので、遊技者からハンドル本体９Ｂに荷重が加わっても下方向の回動がラチェット歯どうしの噛み合いにより確実に規制されるので、操作ハンドル９Ｃの操作が安定して行える。
【００５９】
尚、ハンドル本体９Ｂをハンドル基端部９Ａに対して傾ける動作をセンサ等により検出して遊技状態を連係させて遊技性が変わるようにすることも可能である。
【００６０】
また、遊技機用発射ハンドルは、パチンコ機１に備えたものについて説明したが、他の遊技機、例えば雀球遊技機やアレンジボール遊技機などに備えていてもよい。
【符号の説明】
【００６１】
１  パチンコ機  
２  外枠  
３  内枠  
４  ヒンジ部  
５  前面枠  
５ａ  窓部  
５ｂ  透明部材  
６  スピーカ  
７  上球受け皿  
８  下球受け皿  
９  発射ハンドル  
９Ａ  ハンドル基端部  
９Ｂ  ハンドル本体  
９Ｃ  操作ハンドル  
９Ｄ  キャップ  
９ａ，９ｄ  基端部側壁  
９ｂ，９ｈ，９ｋ，９ｑ，９ｓ，９ｔ  ９ｘ  ボス部  
９ｃ  ボス孔  
９ｅ，９ｆ  本体側壁  
９ｇ，９ｉ  壁孔  
９ｊ  フック  
９ｌ  指掛け部  
９ｍ１，９ｍ２  長孔  
９ｎ，９ｏ  ストッパー  
９ｐ  測定面  
９ｒ  規制部  
９ｕ，９ｗ，９ｙ  ねじ孔
９ｖ  軸孔
１０  操作スイッチ  
１１，１２  球抜きレバー  
１３  貯留タンク  
１４  操作軸（第二回動軸）  
１５  操作部  
１５ａ  抜け止め部
１６  回動機構  
１７  ケース体  
１８，３５，３６，３９  固定ねじ  
１９  押圧ばね  
２０ａ  第二係合部  
２０ｂ  第一係合部
２０ｃ  突条
２０ｄ  ねじ孔  
２１  第二軸受  
２２  第一軸受  
２３  Ｅリング  
２４  装着部  
２５，２６  止めねじ  
２７  回動軸（第一回動軸）  
２８  第一付勢ばね  
２９  光学式変位センサ  
２９ａ  発光部  
２９ｂ  受光部  
３０  発射ストップレバー  
３０ａ  レバー本体  
３０ｂ  レバー装着部  
３０ｃ  係止爪  
３０ｄ  操作体  
３０ｅ  軸孔  
３０ｆ  突起  
３１  遮光部材  
３２  レバー回転軸  
３１ａ  押圧部材  
３３  第二付勢ばね  
３４  タッチセンサ  
３４ａ  導電部材  
３７，３８  軸受  
【図１】
0005837373.tif 000002
【図２】
0005837373.tif 000003
【図３】
0005837373.tif 000004
【図４】
0005837373.tif 000005
【図５】
0005837373.tif 000006
【図６】
0005837373.tif 000007
【図７】
0005837373.tif 000008
【図８】
0005837373.tif 000009
【図９】
0005837373.tif 000010
【図１０】
0005837373.tif 000011
【図１１】
0005837373.tif 000012
【図１２】
0005837373.tif 000013
【図１３】
0005837373.tif 000014